(57)【要約】【課題】単に被治療者がお湯に浸かるだけでは得られないより高い治療効果を期待することができるとともに、被治療者に負担のかからない温熱治療システムを提供すること。【解決手段】治療に必要なお湯もしくは治療溶液の温度を被治療者の生体モニタ値等から演算し、決定された至適温度調整回路で調整した後、給湯管を介して治療槽２に注入し、上記治療槽２には、被治療者用の椅子状もしくはベッド状の部材２５を設けるとともに、被治療者の回りにお湯もしくは治療用溶液を行きわたらせたり、治療槽全体にお湯もしくは治療用溶液を循環させるように、お湯もしくは溶液が通過するための開放孔２８が施されていることを特徴とする。【選択図】図１
2008142173.tif 000002
【特許請求の範囲】
【請求項１】
治療に必要なお湯もしくは治療溶液の温度を被治療者の生体モニタ値等から演算し、決定された至適温度調整回路で調整した後、給湯管を介して治療槽に注入することを特徴とする家庭用温熱治療システム。
【請求項２】
上記給湯管は上記至適温度調整回路から上記治療槽までの間で順次二股に分割され、最終の分割端部はそれぞれ治療槽内壁面上に配置された吐出ノズルに接続されていることを特徴とする、請求項１に記載の家庭用温熱治療システム。
【請求項３】
上記治療槽には、被治療者用の椅子状もしくはベッド状の部材を設けるとともに、被治療者の回りにお湯もしくは治療用溶液を行きわたらせたり、治療槽全体にお湯もしくは治療用溶液を循環させるように、お湯もしくは溶液が通過するための開放孔もしくは網状等の液体が通過可能となる形状が施されていることを特徴とする、請求項１または２に記載の家庭用温熱治療システム。
【請求項４】
ベッド状の被治療者を保持する部材は、浴槽の内壁面に対し、１ｍｍ以上５００ｍｍ以下の間隙を有し、浴槽内のお湯もしくは治療用溶液の循環を阻害しない構造になっていることを特徴とする、請求項３に記載の家庭用温熱治療システム。
【請求項５】
上記治療用溶液中に、以下の物質あるいはそれを供給するための装置を単独あるいは複合で有することを特徴とする、請求項１〜３のいずれかに記載の家庭用温熱治療システム。
（イ）０．８％以上のリンゲル液
（ロ）２００ｐｐｍ以上の塩化マグネシウム溶液
（ハ）遠赤外線（４〜１６μＨＺ）発生装置
（ニ）１００〜３７０ＫＢｑ（キロベクレル）の放射性物質
（ホ）３０％以上の酸素のバブリング
（ヘ）１０％以上の二酸化炭素のバブリング
（ト）５ｐｐｍ〜３００ｐｐｍの二酸化塩素（ＣｌＯ２）
（チ）粒径０．０３〜５００μｍのマイクロバブル及びナノバブル
（リ）酸素もしくは二酸化炭素等の単一の分子からなる気体または分子が複合された気体から構成される上記（チ）のバブル
（ヌ）電解やセラミックス等の物質を通して得られる酸化還元電位が２００ｍＶ以下である還元水
（ル）電解やセラミックス等の物質を通して得られる、ｐＨが、６．５以下の酸性水
（ヲ）電解やセラミックス等の物質を通して得られる、ｐＨが、７．５以上のアルカリ水
（ワ）磁気水（磁化溶液）
【請求項６】
被治療者に対し、粒径５００ナノメーター以下のミストや４０％以上の酸素エアーを供給する装置を付加することを特徴とする、請求項１〜３および請求項５のいずれかに記載の家庭用温熱治療システム。
【請求項７】
治療中に、被治療者の血中酸素濃度、脈拍数、血圧値、心拍出量（血流量）その他の特性値を単独もしくは複合でモニタし、湯温もしくは溶液温度、酸素濃度値、等の設定値を単独もしくは複合で演算し、実行することを特徴とする、請求項１〜３および請求項５ならびに請求項６のいずれかに記載の家庭用温熱治療システム。
【請求項８】
お湯もしくは治療液が治療槽に供給されるときに、ノズル等により治療槽の内壁面に対し、平行に、扇状や放射状等に平面的に噴射され、循環することを特徴とする、請求項１〜７のいずれかに記載の家庭用温熱治療システム。
【発明の詳細な説明】
【技術分野】
【０００１】
本発明は、温熱治療システム、詳しくは生体を暖めることにより健康の増進、疾病の治療や予防に寄与する温熱治療を家庭でも行なえることを可能とした温熱治療システムに関するものである。
【背景技術】
【０００２】
従来、癌やＨＩＶ感染症（エイズ）の治療法の１つとして温熱治療が知られている。この治療方法は癌細胞あるいはＨＩＶウィルスが正常な細胞より熱に対する耐性が低いことを利用し、癌細胞あるいはＨＩＶウィルスが死滅する温度まで体温を上げて温熱治療を行うための温浴型温熱治療装置が提案されている（例えば、特許文献１）。
【０００３】
先に過去の出願特許より、温浴型温熱治療装置が、病院用として浴槽と強制循環式ボイラーと浴槽内の湯温の温度を制御する制御部とを備え、浴槽内の湯温度と治療者の脈拍数、呼吸数、心電計による情報等とに基づいて浴槽内の湯温もしくは治療溶液温度を任意の温度に維持するようにしたものが発明されている。但し、家庭用はまだ開発されていない。
【特許文献１】特開平１０−３３６２６号公報
【発明の開示】
【発明が解決しようとする課題】
【０００４】
本発明が解決しようとする問題点は、温熱治療を行なう場合、体温が上昇し頭部の方まで及ぶため、息苦しくなったり交感神経が刺激されたりして治療の妨げになることがあり、頭部においては、温度が上昇すると、取り入れなければならない酸素の必要量が増えるため相対的に酸欠方向となり身体に支障をきたす恐れがある一方、加熱量を減ずると効果は減ずる方向になりそのバランスの調整が難しい。上述の治療装置は湯温を一定温度に保つとともに頭部の冷却も行うことにより上記問題は解決できるようになっているが、浴槽とボイラーとは一対の管で接続されているだけで、浴槽内の身体の全ての部分の温度が均一になる保証がない。したがって、被治療者は単に一定の温度の湯に浸かるだけの消極的な治療しか受けられない点と、また治療自体が大掛かりな治療機で、病院でのみでしか受けられず、軽度な症状、また予防の意味や治療後の予後治療の意味としては、簡単に治療を受けるのが難しい点が問題である。
【０００５】
本発明は、上記前者の問題点に関しては、浴槽内の被治療者の身体の全ての部位が常に等しい温度のお湯に浸ることができるようにして温熱治療の効率を高め、単に被治療者が湯に浸かるだけでは得られないより高い治療効果を期待することができるとともに、被治療者に負担のかからない温熱治療システムを提供することを課題とし、また、後者の問題点に関しては、家庭でも、同様に安全に、より効率的な治療が可能となるシステムを提供することを課題とする。
【課題を解決するための手段】
【０００６】
前記課題を解決するため、請求項１に係る発明は、治療に必要なお湯もしくは治療溶液の温度を被治療者の生体モニタ値等から演算し、決定された至適温度調整回路で調整した後、給湯管を介して上記治療槽に注入することを特徴とする。
【０００７】
請求項２に係る発明は、請求項１において、上記給湯管は上記至適温度調整回路から上記治療槽までの間で順次二股に分割され、最終の分割端部はそれぞれ治療槽内壁面上に配置された吐出ノズルに接続されていることを特徴とする、請求項１に記載の家庭用温熱治療システム。
【０００８】
請求項３に係る発明は、請求項１または２において、上記治療槽には、被治療者用の椅子状もしくはベッド状の部材を設けるとともに、被治療者の回りにお湯もしくは治療用溶液を行きわたらせたり、治療槽全体にお湯もしくは治療用溶液を循環させるように、お湯もしくは溶液が通過するための開放孔が施されていることを特徴とする、請求項１または２に記載の家庭用温熱治療システム。
【０００９】
請求項４に係る発明は、請求項３において、ベッド状の被治療者を保持する部材は、浴槽の内壁面に対し、１ｍｍ以上５００ｍｍ以下の間隙を有し、浴槽内のお湯もしくは治療用溶液の循環を阻害しない構造になっていることを特徴とする。
【００１０】
請求項５に係る発明は、請求項１〜３のいずれかにおいて、上記治療用溶液中に、以下の物質あるいはそれを供給するための装置を単独あるいは複合で有することを特徴とする。
（イ）０．８％以上のリンゲル液
（ロ）２００ｐｐｍ以上の塩化マグネシウム溶液
（ハ）遠赤外線（４〜１６μＨＺ）発生装置
（ニ）１００〜３７０ＫＢｑ（キロベクレル）の放射性物質
（ホ）３０％以上の酸素のバブリング
（ヘ）１０％以上の二酸化炭素のバブリング
（ト）５ｐｐｍ〜３００ｐｐｍの二酸化塩素（ＣｌＯ２）
（チ）粒径０．０３〜５００μｍのマイクロバブル及びナノバブル
（リ）酸素もしくは二酸化炭素等の単一の分子からなる気体または分子が複合された気体から構成される上記（チ）のバブル
（ヌ）電解やセラミックス等の物質を通して得られる酸化還元電位が２００ｍＶ以下である還元水
（ル）電解やセラミックス等の物質を通して得られる、ｐＨが、６．５以下の酸性水
（ヲ）電解やセラミックス等の物質を通して得られる、ｐＨが、７．５以上のアルカリ水
（ワ）磁気水（磁化溶液）
【００１１】
請求項６に係る発明は、請求項１〜３および請求項５のいずれかにおいて、被治療者に対し、粒径５００ナノメーター以下のミストや４０％以上の酸素エアーを供給する装置を付加することを特徴とする。
【００１２】
請求項７に係る発明は、請求項１〜３および請求項５ならびに請求項６のいずれかにおいて、治療中に、被治療者の血中酸素濃度、脈拍数、血圧値、心拍出量（血流量）その他の特性値を単独もしくは複合でモニタし、湯温もしくは溶液温度、酸素濃度値、等の設定値を単独もしくは複合で演算し、実行することを特徴とする。
【００１３】
請求項８に係る発明は、請求項１〜７のいずれかにおいて、お湯もしくは治療液が治療槽に供給されるときに、ノズル等により治療槽の内壁面に対し、平行に、扇状や放射状等に平面的に噴射され、循環することを特徴とする。
【発明の効果】
【００１４】
請求項１に係る発明によれば、治療に必要なお湯もしくは治療溶液の温度を被治療者の生体モニタ値等から演算し、決定された至適温度調整回路で調整した後、給湯管を介して上記治療槽に注入することにより、浴槽内の被治療者の身体の全ての部位が常に等しい温度のお湯もしくは治療溶液に浸ることができるようにして温熱治療の効率を高め、単に被治療者が湯に浸かるだけでは得られないより高い治療効果を期待することができるとともに、被治療者に負担のかからない温熱治療システムを提供することができる。
【００１５】
請求項２に係る発明によれば、上記給湯管は上記至適温度調整回路から上記治療槽までの間で順次二股に分割され、最終の分割端部はそれぞれ治療槽内壁面上に配置された吐出ノズルに接続されていることにより、上記効果をさらに高めることができる。
【００１６】
請求項３に係る発明によれば、上記治療槽に、被治療者用の椅子状もしくはベッド状の部材の部材を設けるとともに、被治療者の回りにお湯もしくは治療用溶液を行きわたらせたり、治療槽全体にお湯もしくは治療用溶液を循環させるように、お湯もしくは溶液が通過するための開放孔が施されていることにより、上記効果をさらに高めとともに、家庭でも同様に安全により効率的な治療を施すことができる。
【００１７】
請求項４に係る発明によれば、ベッド状の被治療者を保持する部材は、浴槽の内壁面に対し、１ｍｍ以上５００ｍｍ以下の間隙を有し、浴槽内のお湯もしくは治療用溶液の循環を阻害しない構造になっていることにより、上記効果をさらに高めることができる。
【００１８】
請求項５に係る発明によれば、請求項１〜３のいずれかにおいて、上記治療用溶液中に、上記の物質あるいはそれを供給するための装置を単独あるいは複合で有することにより、治療液の人体に対する密着性、浸透性，膚当り性、熱伝導性等を高めたり、また、早く体を温めたり、深部まで温めたり、温度がさめにくくしたりすることができ、さらに、温熱治療の効率を高め、被治療者に負担のかからない温熱治療システムとすることができる。
【００１９】
請求項６に係る発明によれば、請求項１〜３および請求項５のいずれかにおいて、被治療者に対し、粒径５００ナノメーター以下のミストや４０％以上の酸素エアーを供給する装置を付加することにより、上記効果に加えてさらに被治療者に負担のかからない温熱治療システムとすることができる。
【００２０】
請求項７に係る発明によれば、請求項１〜３および請求項５ならびに請求項６のいずれかにおいて、治療中に、被治療者の血中酸素濃度、脈拍数、血圧値、心拍出量（血流量）その他の特性値を単独もしくは複合でモニタし、湯温もしくは溶液温度、酸素濃度値、等の設定値を単独もしくは複合で演算し、実行することにより、上記効果に加えてさらに温熱治療の効率を高め、被治療者に負担のかからない温熱治療システムとすることができる。
【００２１】
請求項８に係る発明によれば、請求項１〜７のいずれかにおいて、お湯もしくは治療液が治療槽に供給されるときに、ノズル等により治療槽の内壁面に対し、平行に、扇状や放射状等に平面的に噴射され、循環することにより、被治療者にノズル等から直接治療液が当たらないようにするともに、治療液の温度分布、供給量を安定して均一に保つことにより、被治療者に負担のかからない温熱治療システムとすることができる。
【発明を実施するための最良の形態】
【００２２】
図１は、本発明に係る温熱治療システムの一例を示し、この温熱治療システム（以下、治療システムという）は、装置本体１と、この装置本体１に連接した治療槽２と、この治療槽２に治療用温水を循環させる循環機構３とを備えている。
【００２３】
治療槽２は、大人が横になって温水に浸かることができる程度の変形直方体の治療槽で、循環機構３は、図２に示すように、上記治療槽２に治療用温水を循環させるもので、治療槽の両側面に配置された吐出ノズル１０、温度調整回路１５、給湯管１６、ポンプ１７で主に構成されているもので、上記吐出ノズル１０は互いに対向して配置された４組の吐出ノズル１１ａ〜１４ａ、１１ｂ〜１４ｂで構成され、この吐出ノズル１０から吐出される治療用温水が被治療者に直接当って刺激として影響しないように、治療槽壁面に沿って吐出されるように略直角に曲折して形成されている（図３（ａ）参照）。
【００２４】
なお、上記治療用溶液（治療用温水）中には、以下の物質を単独あるいは複合で含有させる。
（イ）０．８％以上のリンゲル液
（ロ）２００ｐｐｍ以上の塩化マグネシウム溶液
（ハ）遠赤外線（４〜１６μＨＺ）発生装置
（ニ）１００〜３７０ＫＢｑ（キロベクレル）の放射性物質
（ホ）３０％以上の酸素のバブリング
（ヘ）１０％以上の二酸化炭素のバブリング
（ト）５ｐｐｍ〜３００ｐｐｍの二酸化塩素（ＣｌＯ２）
（チ）粒径０．０３〜５００μｍのマイクロバブル及びナノバブル
（リ）酸素もしくは二酸化炭素等の単一の分子からなる気体または分子が複合された気体から構成される上記（チ）のバブル
（ヌ）電解やセラミックス等の物質を通して得られる酸化還元電位が２００ｍＶ以下である還元水
（ル）電解やセラミックス等の物質を通して得られる、ｐＨが、６．５以下の酸性水
（ヲ）電解やセラミックス等の物質を通して得られる、ｐＨが、７．５以上のアルカリ水
（ワ）磁気水（磁化溶液）
【００２５】
吐出ノズル１０から吐出された治療用温水は治療槽の内壁面に沿って平行且つ放射状に拡散するようになっていてもよい（図３（ｂ）参照）。
【００２６】
この吐出ノズル１０には加熱装置で加熱される治療至適温度（病気、患者様態により、またその時点で変る）に維持された温度調整回路１５から治療用温水を供給する給湯管１６が配置され、この給湯管１６の始端は温度調整回路１５に接続され、終端が吐出ノズル１０に接続されているが、始端から終端に至る過程は順次同一管路長で二股に分割され、管路の圧力損失を同一にして始端で一本の給湯管が終端で４組からなる８個の終端に分離するように構成されており、各組の端部はそれぞれに分離するとともに分散して配置された吐出ノズル１０に接続され、吐出ノズル１０から吐出される治療用溶液の吐出状態は同じになるように構成されている。
【００２７】
上記温度調整回路１５には、治療槽に設けた一つの取水口２０に一端が取り付けられた取水管２１の他端が接続されているが、この取水管２１の途中にはポンプ１７が配置されている。
【００２８】
また、効果的治療を行なうために、治療液の人体に対する密着性、浸透性，膚当り性、熱伝導性等を高めたり、また、早く体を温めたり、深部まで温めたり、温度がさめにくくしたりするために、還元水電解槽、塩化マグネシウム溶液の供給装置、放射性物質、遠赤外線発生装置、磁気発生物質、二酸化炭素発生装置、マイクロバブル発生装置が循環系に設けられている。
【００２９】
なお、還元水は、浴槽に供給する上流にて、電解装置で処理して、それを浴槽に入れる。または循環システム中に還元水生成カートリッジを設置し、浴槽中の溶液を還元化していけばよい。塩化マグネシウム溶液は、高濃度溶液を定量ポンプ等を介して溶液循環システムの途中から規定量を入れ、混ぜ合わせて希釈する。放射性物質、遠赤外線発生物質、磁気発生物質の発生装置は、いずれも循環システム中に、溶液に接触、非接触で常時設置されている。二酸化炭素は、マイクロバブル発生ユニットにて浴槽内の溶液にバブルを生成させる。肺胞まで届かせ酸素を吸収し易くするため湿気をもたせるナノミスト発生装置および酸素濃縮器は、高湿度であり酸素リッチの空気を直接に患者の頭部に供給する。定量ポンプは循環系の側部から規定量を投入し、循環中の水にうすめるという形で供給する。
【００３０】
特に、ナノミスト発生装置や酸素濃縮器については体温上昇時の脳への影響を安全に保ったり、ミトコンドリアを賦活化させるために効果があり、従来の治療器のように、単に温水を所定の温度に維持しているだけではなく、治療に有効な治療用溶液の付加価値を高めることにより被治療者を治療溶液の温度だけではない効果的な治療を行なうことができるようになっている。
【００３１】
なお、治療用溶液は循環しているため、上記定量ポンプに安定化二酸化塩素系の水溶液を供給し、治療中においても、殺菌、制菌の目的で安全な範囲（欧米で食品添加物として認可を受けている３００ｐｐｍ以下の濃度）で使用してもよい。
【００３２】
被治療者が、治療を受ける治療槽には、予め演算された最適温度をはじめとする最適条件の治療用溶液が入っており、患者が入浴し、治療を開始した後も温度調整回路でその都度最適化された設定温度に調整された治療用溶液を治療槽に設けられた吐出ノズルから治療槽内の被治療者に直接触れないように吐出させ、吐出した治療用溶液は温度調整回路に戻され、設定温度に調整された後、再び治療槽に吐出される治療温水の循環が行なわれるとともに、循環の過程で治療効果を高める様々な付加価値（刺激を軽減し、交感神経劣性、副交感神経優位とし、血液循環量を増加させ、ホメオスターチスによる深部体温上昇抑制の働きを和らげ、目標の深部体温上昇作用が促進される等）が与えられ、お湯に浸かるだけではない、より効果的な治療を受けることができる。
【図面の簡単な説明】
【００３３】
【図１】本発明に係る温熱治療システムの構成を説明する斜視図
【図２】治療用温水の循環を説明する循環機構構成図
【図３】（ａ）（ｂ）は、治療用温水の治療槽への吐出状態を説明する吐出ノズルの平面図及び正面図
【符号の説明】
【００３４】
１    装置本体
２    治療槽
３    循環機構
１０    吐出ノズル
１６    給湯管
１５    温度調整回路
２５    椅子状もしくはベッド状の部材
２８    開放孔
【図１】
2008142173.tif 000003
【図２】
2008142173.tif 000004
【図３】
2008142173.tif 000005